(57)【特許請求の範囲】
【請求項１】
ポールの頂部に固定するのに適した、懸架されたワイヤーを有する空中電力線用の頂部ポール支持体であって、
前記空中電力線は少なくとも３本のワイヤー（１４）を含み、前記頂部ポール支持体（４０）は前記ワイヤー（１４）を保持するための対応する懸架された絶縁手段（１３）を含み、
前記頂部ポール支持体（４０）は、前記懸架された絶縁手段（１３）が位置する点の近傍を実質的に通過する連続的曲線を描く形状を有し、
特徴として、前記曲線は連続的開曲線であり、前記頂部ポール支持体（４０）は、中央ワイヤーを受けるときに前記中央ワイヤーによる送電を中断しないように、前記ポールの頂部に固定されたとき開構造を形成するものであり、
前記頂部ポール支持体（４０）は、螺旋状に形成されており、湾曲した部分（４２ａ）と、螺旋の面内における実質的に対称な位置の先端部に２個のアーム（４２ｂ、４２ｃ）とを有することを特徴とする、
空中電力線用の頂部ポール支持体。
【請求項２】
前記頂部ポール支持体（４０）が、単一の平面上にはない連続的開曲線を描くことを特徴とする、請求項１に記載の空中電力線用の頂部ポール支持体。
【請求項３】
前記頂部ポール支持体（４０）が、枠体（２５）を介して前記ポール（１１）の頂部に固定されていることを特徴とする、請求項１に記載の空中電力線用の頂部ポール支持体。
【請求項４】
前記頂部ポール支持体（４０）が、管状要素によって構成されていることを特徴とする、請求項１乃至３のいずれかに記載の空中電力線用の頂部ポール支持体。
【請求項５】
前記２個のアーム（４２ｂ、４２ｃ）は、前記頂部ポール支持体（４０）の支持点より高い位置に配置されて、前記懸架された絶縁手段（１３）をそれぞれ保持するものであることを特徴とする、請求項１に記載の空中電力線用の頂部ポール支持体。
【請求項６】
前記２個のアーム（４２ｂ、４２ｃ）には、前記懸架された絶縁手段（１３）の中の２つの絶縁手段がそれぞれ取り付けられており、前記湾曲した部分（４２ａ）には、中央ワイヤー（１４）を懸架すべく少なくとも１つの別の懸架された絶縁手段（１３）が取り付けられていることを特徴とする、請求項１に記載の空中電力線用の頂部ポール支持体。
【発明の詳細な説明】
【０００１】
本発明は、特に懸架されたワイヤー（懸垂されたワイヤー）を具えた空中電力線(aerial electric power line) 用の頂部ポール支持体（top pole support）であって、上記空中電力線は少なくとも3本のワイヤーを含み、上記頂部ポール支持体は上記ワイヤーを保持するための絶縁手段、特に懸架された絶縁手段（懸垂された絶縁手段）を含む。
【０００２】
中圧（中電圧）および高圧（高電圧）用の空中電力線は、周知のように、各種の頂部ポール支持体、即ち空中電力線のワイヤーを支持するための支持体を含む適当なポールによって支持されている。
【０００３】
従来の頂部ポール支持体は、通常、片持梁（ｃａｎｔｉｌｅｖｅｒ）または格子構造（ｔｒｅｌｌｉｓ）、即ち幾つかの組立て部材によって形成された片持梁または格子構造のような複数の直線状のバーの構造体によって構成されており、これに電流用ワイヤーを支持するための構造体（組立）絶縁物（ｓｔｒｕｃｔｕｒｅ  ｉｎｓｕｌａｔｏｒ）、即ち一連の（チェーン状の）絶縁物が結合されている。
【０００４】
従来の中圧線は、頂部ポール支持体に、その対応する懸架された絶縁物、即ち頂部ポール支持体の構造体から懸垂された絶縁物に加わる機械的および電気的なストレスに対抗するのにあまり適さない硬直した絶縁物を取付け（マウントし）ていた。
【０００５】
従って、堅い（硬直した）絶縁物を有する線を、懸架された絶縁物を有する線に交換する必要性に直面したとき、次のような特徴を持った頂部ポール支持体と交換する必要があった。
−ワイヤーをスパンの端から端まで低くなり過ぎない高さで支持する必要がある。
−ワイヤーを切断したりそのワイヤーを再び接続することを要せずに中央ワイヤーを組重ねる（nest）ために開いた構成にしなければならない。
【０００６】
図１には、ポール（電柱）１１の頂部に取付けられた（設置された）従来の技術による頂部ポール支持体１０が示されており、頂部ポール支持体１０は４本のアーム１２ａ、１２ｂ、１２ｃ、１２ｄ、すなわち前述の直線状バー（棒状体）からなり、その２本のアーム１２ａおよび１２ｂはポール１１から垂直に互いに反対方向に突出しており、アーム１２ｃおよび１２ｄはポール１１の頂部から斜め方向に該ポール１１の軸に関して対称な位置に突出している、上記の４本のアーム１２の各々にはポール１１に対して末端（先端）位置に懸架された（吊り下げられた）チェーン状（一連）の複数の絶縁物１３が取付けられており、この絶縁物によって空中電力線の対応するワイヤー１４が保持されている（引っ掛けられている）。アーム１２ａおよび１２ｂは、各々垂直に下方向に伸び、ワイヤー１４ａを支えるチェーン状の絶縁物１３を有している。アーム１２ｃおよび１２ｄは小さな梁（横材、ビーム）１５を有し、これらの梁１５には共同して第３のワイヤー１４を支持する対応するチェーン状の絶縁物１３が結合されている。
【０００７】
図１に示されているような従来公知の支持体は、その構造体の重量が大であり、コストも大であることによる幾つかの欠点があり、またポールに取付けるための幾つかの部品によって構成されているという欠点があった。
【０００８】
また、アーム１２ｃおよび１２ｄに結合された“Ｖ”字形絶縁物のチェーンはあまりにも重く、軽いワイヤーを使用した時には完全には伸びない。
【０００９】
公知の支持体の他の欠点は、風があるときにもスパン中のワイヤー間の距離に関する設計事項（仕様項目）を満たすように、同じ高さにある個々の絶縁物チェーンについて互いに十分な距離を保つ必要があることである。
【００１０】
冬季にはワイヤー上に氷柱が形成され、その後その氷柱が外れて落下すると、反動でそのワイヤーがむちうつような激しい動きを生じて上下位置にある２本のワイヤーを短絡させる可能性があり、このため、同様に絶縁物の位置が垂直方向に配列されるのを避ける必要がある。
【００１１】
頂部ポール支持体を交換する作業は電力線（ライン）をオフ状態にして行なわれる。ユーザへのサービス（送電）を中断することがないようにするために、電圧が供給された状態で作業を行うのがしばしばより望ましい。頂部ポール支持体を交換する作業には、作業員が常に電力ワイヤーから予め定められた安全な距離を保って実行することができるように、アセンブリ（組立体）が単純で安全な作業を可能にする構造を持った頂部ポール支持体が必要となる。
【００１２】
本発明の目的は、上述のような欠点を解消し、公知の解決策に比して改善された構造を持ち、より効率のよい空中電力線用の、特に懸架されたワイヤーを有する頂部ポール支持体を提供（開示）することにある。
【００１３】
この構成（枠組み）の下で、本発明の主たる目的は、それ自体の設置、交換を簡単に行うのに適した空中電力線用の、特に懸架されたワイヤーを有する頂部ポール支持体を提示することである。
【００１４】
本発明の他の目的は、ポールの頂部で直接特有の組立て作業を行なう必要のない空中電力線用の、特に懸架されたワイヤーを有する頂部ポール支持体を提示することにある。
【００１５】
本発明のさらに他の目的は、ワイヤー相互間の最適間隔を与えるのを可能にする空中電力線用の、特に懸架されたワイヤーを有する頂部ポール支持体を提示することにある。
【００１６】
本発明のさらに他の目的は、スパンに沿ってワイヤーが著しく低くなることがないように、ワイヤーを充分な高さに支持する空中電力線用の、特に懸架されたワイヤーを有する頂部ポール支持体を提示することにある。
【００１７】
本発明のさらに他の目的は、ワイヤーの切断、その後の結合（接続）を必要とすることなく中心（中央）のワイヤーを受ける（支持する）ための開構造を有する空中電力線用の、特に懸架されたワイヤーを有する頂部ポール支持体を提示することである。
【００１８】
上記のような目的を実現するために、本発明は、ここで述べる必須部分を構成する請求の範囲に記載の特徴を具えた空中電力線用の、特に懸架されたワイヤーを有する頂部ポール支持体を提示することを目的とする。
【００１９】
本発明のさらに他の特徴、利点は以下の詳細な説明、添付の図面から明らかになろう。しかし、これらの詳細な説明、図面は本発明をその例に制限することを意図したものではない。
【００２０】
本発明の考え方は、基本的には、ワイヤー(電力線)が、水平または垂直に整列するのを避けるような態様で配置された三角形の頂部に通常位置するワイヤー支持用絶縁手段によって支持される（引っ掛けられる、フックされる）ことが望ましい点を実質的に通過するようにするために、曲線をなす単一の構成要素によって形成された頂部ポール支持体を実現することにある。
【００２１】
本発明の他の特徴は、上記曲線をなす構成要素が同一面内にない曲線の形で形成されていることにある。
【００２２】
本発明による空中電力線用の頂部ポール支持体２０が図２に示されている。上記支持体２０は、単一の部材、例えば高抵抗のマネスマンチューブ（Ｍａｎｎｅｓｍａｎｎ  ｔｕｂｅ：継目なし管）で、実質的に逆“Ｃ”字形の連続する曲線を形成するように形作られており、上側アーム２２、湾曲部２２ｄ、および下側アーム２２ｃが一体的に形成されている。
【００２３】
上記下側アーム２２ｃは上側アーム２２ａよりも長く、僅かに下方向に曲がっている。上側アーム２２ａと下側アーム２２ｃの各先端部には、連結部２９にそれぞれ懸架されたチェーン状の複数の絶縁物１３が固定されており、これらの各絶縁物のチェーンの先端部にワイヤー１４が支持される。湾曲部２２ｂの接線（正接、接触）における外側の点には同様にチェーン状の複数の絶縁物１３および対応する第３のワイヤー１４用の連結部２９が固定されている。
【００２４】
湾曲部２２ｂは、風があるときに、上側アーム２２ａの絶縁物のチェーンが揺れるのを許容するように設計され、安全規則に従ってこれが上記湾曲部２２ｂに届くことがないように、即ち電圧がかけられた状態にある部分と接地された部分との間の距離を適正に維持するように、設計されている。
【００２５】
本発明による頂部ポール支持体２０は、下側アーム２２ｃの中間部分に形成された４個の適当な孔（ボア）２７内で作用するネジとボルトの結合によって金属性枠体２５に結合されている。枠体２５は水平のネジ２８によって互いに結合された実質的に２本の下側留め具（クランプ）３０（図２ではその一方のみが示されている）と、水平のネジ３２によって互いに結合された２本の上側留め具（クランプ）３１とからなっている。次に上側留め具３１と下側留め具３０は４本の溶接された垂直の管（チューブ）３３によって互いに結合される。上側留め具３１にはその上部にウイング（腕状体、翼状体）３４が設けられており、このウイング３４はネジとボルトによる結合体（カップリング）２６によって頂部ポール支持体２０に固定される。
【００２６】
本発明によれば、支持体２０を取付ける必要のあるときは、小さな起重機（クレーン）を使用して、既に枠体２５に固定された支持体２０全体をポールの頂部１１に到達するように持ち上げ、そこで作業員の最少の作業でその支持体を傾け、位置合わせし、適当なボルトで水平のネジ２８および３２を締付けることによって、支持体２０を枠体２５（２２）の水平のネジ２８および３２に固定することができる。
【００２７】
上記の作業を行なっている間、作業員は実質的に枠体２５の高さで作業し、前述のように電圧がかかった状態にあり得るワイヤー１４から都合良く充分な距離を保っており、その結果、この場合、作業員は交換作業期間中、絶縁されたスパイクによってポール１１の頂部から安全な距離離れて移動することができる。
【００２８】
作業員は枠体２５の高さでのみ作業する必要があり、別の構成要素を固定する（締付ける）ためにさらに高くよじ登る必要はないので、作業員にとって、作業員の身体および作業員が使用する道具の両方を電圧がかかった状態にある部材から安全な距離を保つ（調整する）ことが極めて容易になる。
【００２９】
図３ａおよび図３ｂには、図２の頂部ポール支持体２０の変形として、空中電力線用の頂部ポール支持体４０の正面図（図３ａ）および側面図（図３ｂ）が示されている。この例では、頂部ポール支持体４０は螺旋状に形成されており、湾曲部４２ａと、螺旋の面内で対称に形成された２個のアーム４２ｂおよび４２ｃを有しており、これらは、絶縁物のチェーン１３を持ち上げた状態にする（懸架状態で保持する）ために（to raise）、適当な形態（方法、手段、様式）で頂部ポール支持体４０の支持点に対して高く持ち上げられた状態にされる（are raised）（これらは、適当な形態（方法、手段、様式）で頂部ポール支持体４０の支持点よりも高い位置に配置されて、絶縁物のチェーン１３を保持する）。
【００３０】
図３ｂにより判りやすく示されているように、上記頂部ポール支持体４０によって描かれた曲線は、簡単化のために絶縁物のチェーン１３を具えた螺旋形状のチューブのみが示されており、これは実際には単一の面上にはなく、中央のワイヤーを挿入するときにこれを切断しその後接続する必要なしにこれを挿入することができるような態様でスペース（間隔）が形成されている。
【００３１】
上記の頂部ポール支持体４０は、図１に示す頂部ポール支持体１０と類似した形態で、第３のワイヤー１４を支持するために湾曲部４２ａに取付けられた絶縁物のチェーン１３を利用している。もちろん、上記の頂部ポール支持体４０は、中央ワイヤー１４を懸架するために湾曲部４２ａに設けられた単一の絶縁物のチェーン１３を使用することもできる。
【００３２】
頂部ポール支持体４０の螺旋形状は、固有の簡単で軽量な構造に対して、ライン（電力線）の方向に関して平行に作用するストレスに対する顕著な機械的耐力を与えることができる。上記の説明から、本発明の特徴ならびにそれによってもたらされる関連する利点は明らかである。
【００３３】
本発明による、特に懸架されたワイヤーを具えた空中電力線用頂部ポール支持体は、ポールへの取付け前に組立てることができる簡単な部材によって構成され且つ簡単に固定することができ、特に電圧がかかった状態での取付け、交換、保守の作業を非常に簡単に、安全にしかも安価に行うことができるという利点がある。
【００３４】
本発明による特に懸架されたワイヤーを具えた空中電力線用の“Ｃ”形状の頂部ポール支持体は、１個の構成要素のみが使用されているにもかかわらず、懸架された絶縁物のチェーンが水平および垂直の方向に整列されるのを防止することができるという効果がある。
【００３５】
さらに、特に本発明による懸架されたワイヤーを具えた空中電力線用の頂部ポール支持体は、起重機（クレーン）のような昇降装置によって充分支持されるような重量であるので、取付けや交換中に作業員に対する高い安全性が確保され、作業員はポールの頂部での取付けに集中しさえすればよいという効果が得られる。
【００３６】
さらに、本発明による頂部ポール支持体を実施形態するのに用いられるチューブの円形（環状）の断面は、特にボルトで固定された片持ち梁式の直線状のバーで支持する場合に（支持することに関して）構成的によりよい有効性が得られる。さらに、本発明による頂部ポール支持体の構造は、弾力性があり、動的なストレス（圧力、聴力）に対してより高い機械的耐力を発揮することができるという利点がある。
【００３７】
例として説明した上述の本発明による特に懸架されたワイヤーを具えた空中電力線用頂部ポール支持体は、本発明による新規な考え方から逸脱しない範囲で多くの変形が考えられることは当業者には明らかであり、また本発明の実施に当たって、その構成成分の形状、寸法はしばしば上述のものから変更されることがあり、また技術的に均等な（等価な）構成要素と置換されることもあることは明らかである。
【００３８】
特に支持体に関して説明した湾曲（曲線）の形状は変更可能である。換言すれば、ワイヤーを保持する絶縁物のチェーンが位置する点の近傍を通過する片持ち梁式の連続する構成要素によって構成される支持体をもつという本発明の概念から逸脱しない範囲内で、上記支持体の形状について変更可能であることは明らかである。
【００３９】
既に述べたように、例として説明したように本発明による頂部ポール支持体が描く上記の湾曲（曲線）は同一面内に位置していないが、構造上の必要性および絶縁物のチェーンの配置に従って空間的に広げられることもある。
【００４０】
本発明による頂部ポール支持体はチューブのみならず箱型構造またはセクションバー（区分されたバー、ｓｅｃｔｉｏｎ  ｂａｒ）によって構成することもできる。
【００４１】
幾何学的な（寸法上の）必要性と安全距離の必要性とを整合させるために、接続部の形状と絶縁物のチェーンの形状とを適合させることができる。
【００４２】
頂部ポール支持体の全部または一部を絶縁材料によって構成することにより、絶縁性を高め、その結果としてワイヤーを保持するチェーンの絶縁物の数（またはチェーンの数）を減少させることができるという利点が得られる。
【図面の簡単な説明】
【図１】  図１は、従来技術による空中電力線用の、特に懸架されたワイヤーを有する頂部ポール支持体の基本的な構成を示している。
【図２】  図２は、本発明による空中電力線用の、特に懸架されたワイヤーを有する頂部ポール支持体の基本的な構成を示している。
【図３】  図３ａは、図２に示された頂部ポール支持体の変形例の正面図であり、図３ｂはその側面図である。
【図１】
0004482274.tif 000002
【図２】
0004482274.tif 000003
【図３】
0004482274.tif 000004